(57)【要約】【課題】  メイン引戸とサブ引戸が互いに連動して出入り口を開閉することが出来る２連式引戸装置であって、引戸が後退して戸袋に収納される場合、メイン引戸に手や指が挟まってケガすることがないようにした２連式引戸装置の提供。【解決手段】  メイン引戸側に位置する戸袋３の入口に起立する縦桟６ｂには上記入口空間８を閉じる方向に揺動するようにバネ蝶番７を介して遮蔽板４を取付け、該メイン引戸１の後方端にはカム５を取付けている。【選択図】    図１
2006125014.tif 000002
【特許請求の範囲】
【請求項１】
メイン引戸とサブ引戸が互いに連動して出入り口を開閉することが出来る２連式引戸装置において、メイン引戸側に位置する戸袋の入口に起立する縦桟には上記入口空間を閉じる方向に揺動するようにバネ蝶番を介して遮蔽板を取付け、該メイン引戸の後方端にはカムを取付けたことを特徴とする２連式引戸装置。
【請求項２】
上記遮蔽板の上下端の少なくとも片方にはメイン引戸及びサブ引戸の表面に接して転動するローラーを回転自在に軸支した請求項１記載の２連式引戸装置。
【請求項３】
メイン引戸とサブ引戸が互いに連動して出入り口を開閉することが出来る２連式引戸装置において、メイン引戸側に位置する戸袋の入口に起立する縦桟の内側にはクッション材を取付けたことを特徴とする２連式引戸装置。
【発明の詳細な説明】
【技術分野】
【０００１】
本発明はメイン引戸とサブ引戸を有し、指詰め防止機能を備えた２連式引戸装置に関するものである。
【背景技術】
【０００２】
出入り口を開閉する為の手段として引戸が用いられる場合は多く、該引戸はその上端に取付けられている吊車を介して上レールに吊設され、該上レールに沿ってスライドすることが出来る。ところで、該引戸は出入り口幅より大きく成っていて、出入り口を開口した際には戸袋に収納されることになるが、この戸袋の幅寸法は引戸幅より大きく成っている。従って、大きな幅の出入り口に引戸を装着する場合には、引戸の幅寸法が大きくなると共に、開いた際に収納される戸袋寸法も必然的に大きく成ってしまう。
【０００３】
そこで、メイン引戸とサブ引戸が互いに連動する２連式の引戸装置が用いられ、出入り口を閉じる場合には並列状態にあるメイン引戸とサブ引戸が引き伸ばされ、出入り口を開いて戸袋に収納される場合には、メイン引戸とサブ引戸は互いに並列状態に納まることが出来る。従って、メイン引戸及びサブ引戸の寸法、並びに戸袋寸法は１連式引戸の場合に比較して約半分と成る。
【０００４】
図４は従来の２連式引戸装置の概略を表している横断面であり、(ａ)は出入り口(イ)が閉じられている場合、(ｂ)は出入り口(イ)が開口している場合である。２連式引戸はメイン引戸(ロ)とサブ引戸(ハ)から成って両引戸は互いに連動し、メイン引戸(ロ)を前進・後退することでサブ引戸(ハ)も前進・後退動することが出来るように構成している。連動機構は色々あるが、一般的にはサブ引戸(ハ)の上端両側に軸支したプーリーにベルトを巻き掛け、このベルトは上レール側に１点が固定されると共に別の一点はメイン引戸(ハ)と連結している。
【０００５】
従って、メイン引戸(ロ)のスライド運動はベルトの循環運動を介してサブ引戸に伝達され、メイン引戸(ロ)のスライド距離はサブ引戸(ハ)のスライド距離に対して２倍の大きさとなる。従って、同図(ａ)に示す位置にあるメイン引戸(ロ)が後退して出入り口(イ)が開口するならば、(ｂ)のようにメイン引戸(ロ)はサブ引戸(ハ)と並列状態に成って戸袋(ニ)に収納される。
【０００６】
この場合、２連式引戸が戸袋(ニ)から引き出されて出入り口(イ)が閉じている状態では、該戸袋(ニ)の入口に比較的大きな空間(ホ)が形成され、この空間(ホ)からメイン引戸(ロ)が戸袋(ニ)に収納されるが、この際、該空間(ホ)に手を入れているならばメイン引戸(ロ)に挟まれてしまう。
【０００７】
実公平７−５４５５６号に係る「戸袋の入口側構造」は２連式ではないが、戸袋の入口側に２本のスタッドを対向して起立し、戸袋パネルの表面材を内側へ屈曲して止着片を形成し、該止着片にはスタッド側片をカバーする概略半円弧の断面形状をした指詰防止ゴムを取付けた構造としている。本発明が対象とする２連式引戸では、メイン引戸(ロ)が進入する為に戸袋入口に形成される空間(ホ)は大きくなる為に、上記従来の指詰防止ゴムでは用を足さない。
【特許文献１】実公平７−５４５５６号に係る「戸袋の入口側構造」
【発明の開示】
【発明が解決しようとする課題】
【０００８】
このように、従来の２連式引戸装置には上記のごとき問題がある。本発明が解決しようとする課題はこれら問題点であり、２連式引戸が後退して戸袋に収納する際に、メイン引戸との間に指が挟まってケガをすることがないように構成した２連式引戸装置を提供する。
【課題を解決するための手段】
【０００９】
本発明に係る２連式引戸装置は互いに連動するメイン引戸とサブ引戸を備え、そしてメイン引戸及びサブ引戸が収納される戸袋を有している。そこで、上記メイン引戸をスライドするならば、それに追従して連動機構を介してサブ引戸もスライドし、出入り口を開閉する。このような基本的な構造及び基本的動作に関しては従来の２連式引戸と共通し、メイン引戸及びサブ引戸の連動機構の具体的構造は限定しない。
【００１０】
ところで、本発明では戸袋入口空間に手や指が位置する状態でメイン引戸が後退する際にケガをしないように構成している。その１手段はメイン引戸が戸袋から引き出された状態では、戸袋入口空間を閉鎖するように構成している。そこで、該空間を閉じる為に遮蔽板を取付け、該遮蔽板はバネ蝶番を介して揺動可能に軸支され、メイン引戸が戸袋から引き出されると同時にバネ蝶番のバネ力にて入口空間が閉鎖するように揺動する。従って、手や指が該入口空間へ入ることがない。
【００１１】
ここで、メイン引戸の後方端には先端が尖ったカムが取付けられていて、メイン引戸が後退する際には、該カムは遮蔽板に当たって該遮蔽板を揺動させ、空間を開口することが出来る。すなわち、カムはメイン引戸とサブ引戸間の段差を繋ぐ働きを有している。第２の手段は戸袋入口空間を閉鎖しないが、該空間に隣接してクッション材を取付ける方法である。すなわち、戸袋の入口側に縦桟を起立し、該縦桟の内側にメイン引戸が侵入できる上記空間を残してクッション材を取付けている。
【発明の効果】
【００１２】
本発明では戸袋入口の上記空間に遮蔽板がバネ蝶番を介して揺動可能に軸支されている為に、該空間に手や指が進入することはなく、従ってメイン引戸が後退する際に手や指が挟まることはない。一方、戸袋入口に起立する縦桟内側クッション材を取付けた場合には、仮に手や指が後退するメイン引戸に挟まった場合であっても、該クッション材が圧縮変形する為に、ケガをすることはない。
【実施例】
【００１３】
図１は本発明に係る２連式引戸装置の一部を示す横断面図であり、同図の１はメイン引戸、２はサブ引戸、３は戸袋、４は遮蔽板、５はカムを夫々表している。上記メイン引戸１及びサブ引戸２は上レールに吊設されてスライドすることが出来、しかも互いに連動機構を介して互いに連動する為に、メイン引戸１を操作するだけでサブ引戸２も追従してスライドすることが出来る。しかも、メイン引戸１はサブ引戸２の２倍の動きを行うことが出来る。
【００１４】
戸袋３の入口には縦桟６ａ，６ｂが起立し、メイン引戸１に対向する縦桟６ｂには上記遮蔽板４がバネ蝶番７を介して揺動可能に取付けられていて、戸袋３の入口空間８を閉じている。すなわち、バネ蝶番７によって遮蔽板４は常に空間８を閉じる方向に揺動することが出来、その結果、手や指が空間８へ進入することはなくなる。
【００１５】
勿論、メイン引戸１が後退して戸袋３に収納される場合には、メイン引戸１の後方端に取付けられているカム５が上記遮蔽板４に係合して該遮蔽板４は揺動し、メイン引戸１の表面に平行に配置される。同図の実線で示す遮蔽板４は空間８を閉じている場合、２点斜線で示している遮蔽板４はメイン引戸１に面して平行に配置されている場合である。
【００１６】
図２は遮蔽板４を示す具体例である。遮蔽板４は所定形状に曲げ成形され、上下端の先端部にはローラー９ａ，９ｂが回転自在に軸支されている。そして、基部１０は垂直に屈曲して縦桟６ｂに取付けられるようにバネ蝶番７が取着され、該バネ蝶番７に備わっているバネにより空間８を常に閉じる方向へ揺動することが出来る。従って、遮蔽板４の上下端に軸支されているローラー９ａ，９ｂはメイン引戸１及びサブ引戸２の表面に接することが出来、遮蔽板４の揺動がスムーズに行われる。
【００１７】
すなわち、メイン引戸１が戸袋３から引き出されて出入り口が閉じる場合には、ローラー９ａ，９ｂはメイン引戸１の表面を転がり、後方端のカム５からサブ引戸２の表面へ転動し、遮蔽板４は戸袋３の出入り口空間８を閉じることが出来る。そして、逆にメイン引戸１が後退して戸袋３へ進入する場合には、ローラー９ａ，９ｂはサブ引戸２の表面を転がり、メイン引戸１の後方端に取着しているカム５が該ローラー９ａ，９ｂに係合して遮蔽板４が起立し、その後、該ローラー９ａ，９ｂはメイン引戸１の表面に接して転動する。
【００１８】
ここで、ローラー９は上下端の少なくとも片方に取付けることも可能であり、そして該ローラー９にはゴムリングが取付けられて、メイン引戸１及びサブ引戸２の表面を転動してもキズが付かないようにしている。
【００１９】
一方、図３は本発明を示す他の実施例であり、この実施例では前記実施例のような遮蔽板４を備えておらず、空間８は開口状態にある。戸袋３の入口には縦桟１１ａ，１１ｂを起立し、一方の縦桟１１ｂを幅広とし、内側にはクッション材１２が設けられている。該クッション材１２の材質は問わないが、スポンジのような柔らかい材質で構成され、従って該クッション材があることで、空間８に手や指が入ったままの状態でメイン引戸１が後退して戸袋３の入口空間８へ進入する場合、ケガをすることを防止できる。
【図面の簡単な説明】
【００２０】
【図１】本発明に係る２連式引戸装置。
【図２】遮蔽板の具体例。
【図３】本発明に係る２連式引戸装置。
【図４】従来の一般的な２連式引戸装置の概略図。
【符号の説明】
【００２１】
１  メイン引戸
２  サブ引戸
３  戸袋
４  遮蔽板
５  カム
６  縦桟
７  バネ蝶番
８  空間
９  ローラー
10  基部
11  縦桟
12  クッション材
【図１】
2006125014.tif 000003
【図２】
2006125014.tif 000004
【図３】
2006125014.tif 000005
【図４】
2006125014.tif 000006